(57)【要約】【課題】  携帯型機器を所望の角度で且つ確実に装着できる保持機構を提供すること。【手段】  携帯型機器１０を被取り付け対象物に対して着脱自在に装着するための保持機構２０は、基板２１と、携帯型機器１０を被取り付け対象物に装着するために基板２１との間に被取り付け対象物を挟持することができる挟持片２２と、挟持片２２を、携帯型機器１０を被取り付け対象物に固定し得るロック状態と、被取り付け対象物から携帯型機器２０を取り外し得るロック解除状態とに選択的に切り換えるためのロック機構とを具備する。該ロック機構は、ロック状態においては挟持片２２を基板２１の方へ押圧し、ロック解除状態においては挟持片２２を基板２１から離すよう動作するロックレバー２３を備える。【選択図】  図３
2006108576.tif 000002
【特許請求の範囲】
【請求項１】
携帯型機器を被取り付け対象物に対して着脱自在に装着するため、前記携帯型機器に取り付けられる保持機構であって、
基板と、
前記基板との間に前記被取り付け対象物を挟持するための挟持片と、
前記挟持片を、前記携帯型機器が前記被取り付け対象物に装着されたロック状態と、前記前記携帯型機器を前記被取り付け対象物から取り外すことができるロック解除状態とに選択的に切り換えるためのロック機構と、
を具備することを特徴とする保持機構。
【請求項２】
前記ロック機構が、前記ロック状態においては前記挟持片を前記基板の方へ押圧し、前記ロック解除状態においては前記挟持片を前記基板から離すよう動作するロックレバーを備えることを特徴とする、請求項１に記載の保持機構。
【請求項３】
前記基板が前記携帯型機器に対して回転可能に取り付けられることを特徴とする、請求項１又は２に記載の保持機構。
【請求項４】
前記挟持片が、前記ロック機構と連動して、前記携帯型機器に設けられた複数の穴のうちの一つに挿脱されるクリップピンを備えることを特徴とする、請求項３に記載の保持機構。
【請求項５】
請求項１〜４のいずれか一つに記載の保持機構を備えた携帯型機器。
【請求項６】
請求項５に記載の携帯型機器であって、
所定の円周上に所定の角度間隔で形成された複数の穴を有するクリップベースと、
前記クリップベースに対して前記基板を着脱自在且つ回転可能に取り付けるための取り付け手段と、
前記挟持片に設けられ、前記ロック機構と連動して前記複数の穴のうちの一つに挿脱されるクリップピンと、
を備え、前記保持機構に対して所望の角度で装着することができることを特徴とする携帯型機器。
【発明の詳細な説明】
【技術分野】
【０００１】
本発明は、ワイヤレスマイクロホン、携帯電話、携帯型音楽再生装置などの携帯型機器を確実に保持するための保持機構及び該機構を備えた携帯型機器に関する。
【背景技術】
【０００２】
従来から、携帯型機器をベルトに着脱自在に取り付けるために、携帯型機器を収納したケースに、ベルトに引っ掛けるためのベルトクリップ機構を設けることが知られている（特許文献１参照）。つまり、ベルトにベルトクリップ機構を差し込んで固定することにより、携帯型機器を手に持つことなく保持することが可能になる。
【０００３】
しかしながら、従来のベルトクリップ機構はバネの力を利用して保持する構造であり、そのバネの硬さによって使い勝手が著しく変化する。例えば、バネが硬いと、携帯型機器を落とす危険性は減るが着脱しにくくなる。逆に、バネが柔らかいと、着脱は容易になるが携帯型機器を落下させる危険性が高まる。
【０００４】
また、ベルトクリップ機構の多くは携帯型機器に対して回転不能に固定されているので、装着後に携帯型機器の向きを変えることができないため使いずらいという問題があった。これを解決するため携帯型機器を回転可能に支持する構造が提案された（特許文献１参照）が、携帯型機器をベルトクリップ機構に取り付ける力の大小によって、携帯型機器の方向が容易に変化し、逆に、携帯型機器を回転させにくいという新たな問題が生じた。
【特許文献１】特開平１１−２７４７４３号公報
【発明の開示】
【発明が解決しようとする課題】
【０００５】
本発明は、こうした従来のベルトクリップ機構の課題に鑑みて提案されたものであり、本発明の一つの目的は、携帯型機器を所望の角度で確実に保持することが可能であり、しかも着脱が容易な保持機構提供することにあり、本発明の他の目的は、こうした保持機構を備えた携帯型機器を提供することにある。
【課題を解決するための手段】
【０００６】
上記の目的を達成するために、請求項１の発明は、
携帯型機器を被取り付け対象物に対して着脱自在に装着するため、前記携帯型機器に取り付けられる保持機構であって、
基板と、
前記基板との間に前記被取り付け対象物を挟持するための挟持片と、
前記挟持片を、前記携帯型機器が前記被取り付け対象物に装着されたロック状態と、前記前記携帯型機器を前記被取り付け対象物から取り外すことができるロック解除状態とに選択的に切り換えるためのロック機構と、
を具備することを特徴とする保持機構、
を提供する。
【０００７】
請求項２の発明は、前記ロック機構が、前記ロック状態においては前記挟持片を前記基板の方へ押圧し、前記ロック解除状態においては前記挟持片を前記基板から離すよう動作するロックレバーを備えることを特徴とする。
【０００８】
請求項３の発明は、前記基板が前記携帯型機器に対して回転可能に取り付けられることを特徴とする。
請求項４の発明は、前記挟持片が、前記ロック機構と連動して、前記携帯型機器に設けられた複数の穴のうちの一つに挿脱されるクリップピンを備えることを特徴とする。
【０００９】
請求項５の発明は、請求項１〜４のいずれか一つの発明に係る保持機構を備えた携帯型機器を提供する。
請求項６の発明は、請求項５の発明に係る携帯型機器であって、
所定の円周上に所定の角度間隔で形成された複数の穴を有するクリップベースと、
前記クリップベースに対して前記基板を着脱自在且つ回転可能に取り付けるための取り付け手段と、
前記挟持片に設けられ、前記ロック機構と連動して前記複数の穴のうちの一つに挿脱されるクリップピンと、
を備え、前記保持機構に対して所望の角度で装着することができることを特徴とする携帯型機器、
を提供する。
【発明を実施するための最良の形態】
【００１０】
以下、本発明に係る保持機構の一つの実施の形態を、図面を用いて詳述する。なお、当業者であれば理解するように、図示の実施の形態は本発明の一例にすぎず、これによって本発明を限定することを意図するものではない。
【００１１】
図１において、ワイヤレスマイクロホン、携帯電話、携帯型音楽再生装置などの携帯型機器１０の背面パネル１１、即ち、ベルトなどの被取り付け対象物に取り付ける際に被取り付け対象物に対向する携帯型機器１のパネル面に、本発明に係る保持機構２０が着脱自在且つ回転可能に装着される。これを実現するため、図２に示すように、携帯型機器１０の背面パネル１１中央部には扁平で例えば円形をしたクリップベース１２がネジ等によって固定され、このクリップベース１２に対して保持機構２０が着脱自在且つ回転可能に装着される。携帯型機器１０と保持機構２０との間に或る程度の厚さのクリップベース１２を介在させることで、携帯型機器１０と保持機構２０との間に若干のスペースが形成されるので、保持機構２０を携帯型機器１０に対して回転させるのが容易になる。
【００１２】
図３のＡ及びＢに示すように、保持機構２０は、着脱ネジ３０によってクリップベース１２に装着される基板２１と、該基板２１の一端に連結されていて基板２１との間にベルトなどの被取り付け対象物を挟むための挟持片２２と、保持機構２０をロック状態とロック解除状態とに切り換えるためのロックレバー２３とを備えている。挟持片２２の上部中央には、着脱ネジ３０が通過できる直径を持つ開口が設けられる（図４）。基板２１と挟持片２２とを弾性体によって一体に形成し、又は弾性体によって一体に連結して挟持片２２を基板２１から離れる方向に付勢しておくことが望ましい。
【００１３】
クロックレバー２３の一端には軸２４が設けられ、軸２４は基板２１の適宜の個所に設けられた支持体２５によって回転自在に支持される。これにより、クロックレバー２３は保持機構２０をロック状態とロック解除状態とに切り換えるよう、軸２４を中心として回動する。そこで、図３のＡに示すように、ロックレバー２３を携帯型機器１０の背面パネル１１の方へ倒すと、保持機構２０はロックされ、挟持片２２は基板２１の方へ押されるので、これによってベルトなどの被取り付け対象物を基板２１と挟持片２２との間に挟み、携帯型機器１０を確実に保持することができる。この状態からロックレバー２３を起こして図３のＢに示す状態にすると、挟持片２２を押す力がなくなり、挟持片２２は基板２１から離れて保持機構２０のロックが解除されるので、携帯型機器１０を容易に取り外すことができる。
【００１４】
図４のＡ及びＢは、保持機構２０をロック状態とロック解除状態とに切り換えるためのロックレバー２３の構成の一例を示しており、ロックレバー２３の軸２５の周囲には、挟持片２２を基板２１の方へ押した状態でロックレバー２３をロックすることができる形状の突部２６と、挟持片２２を基板２１から離させてロックレバー２３のロック状態を解除することができる形状の平坦部２７とが形成されている。すなわち、前記のとおり、クロックレバー２３は軸２４を中心として回動することができ、ロックレバー２３を携帯型機器１０の方へ押し込むと、ロックレバー２３の回転に伴って突部２６は軸２４を支点として挟持片２２を基板２１の方へ押し込み、その状態でロックレバー２３はロックされる。一方、ロックレバー２３を起こすと、ロックレバー２３の回転に伴って突部２６が挟持片２２から外れて平坦部２７と接するようになり、挟持片２２は基板２１から離れる。つまり、軸２４の中心と平坦部２７との最短距離の方が、軸２４の中心から突部２６に至る最短距離よりも短くなるように突部２６と平坦部２７とが、ロックレバー２３の基部に形成される。こうして、ロックレバー２３、軸２４、突部２６、平坦部２７は保持機構２０のロック機構を構成する。
【００１５】
また、図４のＡ及びＢに示すように、着脱ネジ３０によって、保持機構２０を携帯型機器１０に対して取り付けるために、クリップベース１２には、着脱ネジ３０をねじ込むための凹部１３が形成され（図２及び図４のＡ、Ｂ）、さらに携帯型機器１０の背面パネル１１には凹部１３を通す穴が形成される。そこで、クリップベース１２に基板２１を重ねた状態で着脱ネジ３０を凹部１３にねじ込むことにより、基板２１はクリップベース１２に装着される。このとき、着脱ネジ３０の長さと凹部１３の深さとを適切に設定することにより、着脱ネジ３０を凹部１３にねじ込んだ状態でも保持機構２０はクリップベース１２に対して回転することができる。
【００１６】
本発明のこの実施の形態においては、携帯型機器１０と保持機構２０とを相対的に所望の角度、例えば９０度ずつ回転させるようクリック機構が設けられている。すなわち、携帯型機器１０の背面パネル１１に固定されたクリップベース１２には、図２に示すように、同一円周上に９０度ずつ離れて４個の穴１４１、１４２、１４３、１４４が形成され、これらの穴１４１〜１４４に対応して背面パネル１１に浅い窪み１５１〜１５４が形成される。なお、図４には、これらの窪みのうちの一つである窪み１５２のみが図示されている。さらに、保持機構２０の挟持片２２にはクリップピン２８が設けられるとともに、クリップピン２８を通すためにクリップベース１２には穴１６が、基板２１には穴２９がそれぞれ形成される。
【００１７】
そこで、図４のＢに示すように、保持機構２０のロックレバー２３を起こし、ロックレバー２３の平坦部２７を挟持片２２に接触させてロックを解除した状態にすると、弾性によって挟持片２２は基板２１から離れ、これに伴ってクリップピン２８も背面パネル１１から浮いてクリップピン２８の先端がクリップベース１２の穴１４１〜１４４のうちの一つに引っ掛かる状態になるので、携帯型機器１０を被取り付け対象物から容易に取り外すことができるばかりでなく、保持機構２０を携帯型機器１０に対してクリック感を持って回転させることができる。図５は、図１の状態から携帯型機器１０に対して保持機構２０が９０度だけ回転された状態を示している。
【００１８】
一方、図４のＢに示すロック解除状態において保持機構２０を携帯型機器１０に対して所望の角度だけ回転させてから、図４のＡに示すように、ロックレバー２３を倒して突部２６によって挟持片２２を押すと、ロックレバー２３はロック状態になり、クリップピン２９の先端は穴２９、１６を通ってクリップベース１２の穴１４１〜１４４のうちの対応する穴に入り込む。これによって携帯型機器１０は保持機構２０に対して所望の角度をもって確実に固定される
以上、本発明に係る保持機構の一つの実施の形態について説明したが、本発明はこの実施の形態に限定されるものではない。例えば、図２には９０度間隔で４個の穴１４１〜１４４が形成されているが、４５度、６０度などの所望の間隔で穴を形成してもよい。また、図示の実施の形態においては、クリック機構が形成されているが、クリック機構を設けなくともよい。その場合には、携帯型機器１０は保持機構２０に対して任意の角度だけ回転させることができる。
【産業上の利用可能性】
【００１９】
以上、本発明に係る保持機構を一つの実施の形態を例にとって説明したところから理解されるように、本発明は、
保持機構をロックすることによって、携帯型機器を確実に保持することができる、
保持機構のロックを解除することによって、携帯型機器を容易に被取り付け対象物から取り外すことができる、
保持機構をロックした状態では、保持機構と携帯型機器との相対角度を所望の角度に維持することができる、
という格別の効果を奏する。
【図面の簡単な説明】
【００２０】
【図１】本発明に係る保持機構を装着した状態における携帯型機器の背面図である。
【図２】本発明に係る保持機構を取り外した状態での図１の携帯型機器の背面図である。
【図３】Ａは、図１において本発明に係る保持機構をロック状態としたときの携帯型機器の側面図であり、Ｂは、該保持機構のロックを解除した状態を示す側面図である。
【図４】本発明に係る保持機構の主要部の構成を示す断面図で、Ａはロック状態を、Ｂはロック解除状態を示している。
【図５】図１に示す保持機構を９０度だけ回転させた状態を示す図である。
【符号の説明】
【００２１】
１０：携帯型機器、  ２０：保持機構、  ３０：着脱ネジ、  １１：背面パネル、  １２：クリップベース、  １４１〜１４４：穴、  ２１：基板、  ２２：挟持片、  ２３：ロックレバー、  ２４：軸、  ２５：支持体、  ２６：突部、  ２７：平坦部、  ２８：クリップピン
【図１】
2006108576.tif 000003
【図２】
2006108576.tif 000004
【図３】
2006108576.tif 000005
【図４】
2006108576.tif 000006
【図５】
2006108576.tif 000007